(57)【要約】      （修正有）【課題】従来の裁断器で、ハンドルを握った手とは反対側の手を紙葉類を切断する作業時に有効に保護するものは無かった。【解決手段】可動刃１３の上下動に連動して略水平に上下動する紙押バー１９を備えた裁断器で、紙押バー１９の側面に紙押バー１９と平行な側水平縁とした可動刃１３の上動位置において可動刃１３の刃先と並行する傾斜側縁と前記した可動刃１３のハンドル側の移動軌跡に等しい湾曲側縁を有する略三角形状の安全カバー２を取り付ける。【選択図】図１
0003114506.tif 000002
【実用新案登録請求の範囲】
【請求項１】
台板の一側面に固定刃を取り付け、該固定刃の先端に近い側面に可動刃をボルトで枢着し、前記固定刃の基部側面に前記可動刃を受けるストッパーピンを突設し、このピンに前記固定刃に枢着して引きばねにより反時計方向の回動力を付与される第１の揺動桿を対設させ、さらに前記ボルトにコイルばねを設け、このばねの弾力により反時計方向の回動力を付与されるボルトを植設した第２の揺動桿をボルトに枢着し、前記第１の揺動桿と第２の揺動桿とをそれぞれ枢軸で紙押バーに連結し、前記紙押バーの側面に前記紙押バーと平行な水平側縁と前記した可動刃の上動位置において前記可動刃の刃先と並行する傾斜側縁と前記した可動刃のハンドル側の移動軌跡に等しい湾曲側縁を有する略三角形状の安全カバーを取り付け、前記した可動刃の上動でこの可動刃の上縁が前記ボルトを押し上げて前記紙押バーを前記ばねの弾力に抗して浮上させ、前記可動刃の下動で前記紙押バーを前記ばねの弾力により前記第２の揺動桿を介して前記可動刃よりも先に被裁断紙上に押し当てるように構成したことを特徴とする裁断器。
【請求項２】
紙押バーと平行な水平側縁と前記した可動刃の上動位置において前記可動刃の刃先とその上方で並行する傾斜側縁と前記した可動刃のハンドル側の移動軌跡に略等しい湾曲側縁を有する略三角形状で、前記紙押バーと平行な水平側縁に前記紙押バーに着脱しうる取り付け用の切り欠きを複数個形成したことを特徴とする安全カバー。
【請求項３】
請求項１および２記載の安全カバーを透明な合成樹脂板で形成したことを特徴とする安全カバー。
【考案の詳細な説明】
【技術分野】
【０００１】
この考案は紙葉類を裁断する裁断器に関し、さらに詳しく述べれば裁断作業時に裁断刃に前記裁断刃のハンドルを握る手とは反対側の手が前記裁断作業時に前記裁断刃に触れて怪我をしないようにするための安全カバーを紙押バーに取り付けた構成の裁断器と、前記裁断器の紙押バーに取り付ける安全カバーに関する。
【背景技術】
【０００２】
特許文献１には、切断刃に触れて、怪我をすることがないように、カバーを取り付けた構成が示されている。該カバーは、切断時であっても切断刃の刃先を覆ったままの状態である安全性の高い切断刃、さらに当該切断刃を備えた裁断器で、下縁部に刃先を備え、薄片状の切断対象物を切断する裁断器のテーブルに一側縁側を回動自在に取り付けて使用するカバー付きの切断刃であって、前記カバーは、前記切断刃に取り付ける取付部と当該取付部から下側に延びる延設部とからなり、前記カバーの一側面を、前記取付部で前記切断刃の側面に密着させ、前記延設部の先端縁が前記切断刃の刃先との間に所定の間隔を空けて、前記刃先の下側に位置するまで延びるように前記カバーを切断刃に装着した紙等を裁断する裁断器用の切断刃の構成が開示されている。
【０００３】
特許文献２には、テーブルの一側縁に受刃を付設し、該受刃の基端部に設けた枢支軸にて、先端部に前後方向に細長いループ状の握り部を有するハンドルが取付けられた帯板状切刃を枢支して裁断可能としたペーパーカッターにおいて、上記ハンドルは、上方位置の上記握り部と、下方位置の取付片部とを有すると共に、該取付片部は帯板状切刃の先端部の上面及び先端面に各々対応する上方受圧面及び前端面を備えた凹所を有し、上記帯板状切刃の先端部の上面に該凹所の上方受圧面を当接状として、上記取付片部を上記帯板状切刃の先端部に取付けて、上記ハンドルの押圧力に対する反力を該上方受圧面にて受持ち、さらに、上記握り部の前端面が上記テーブルの前端縁と略同一の前後方向位置となるように該握り部を帯板状切刃に取付けた構成のハンドルが邪魔にならないと共に全体をコンパクトとすることができ、さらに一端をヒンジを介して台板に取り付けた紙押さえ片の上面に起立部を形成した安全性と強度に優れたペーパーカッターが開示されている。
【特許文献１】特開２００５−７５５４号公報
【特許文献２】実公平６−４１８３４号公報
【考案の開示】
【考案が解決しようとする課題】
【０００４】
しかし、特許文献１で開示されている裁断器は、裁断器を構成する切断刃の一方の側面に、取付部と該取付部から下側に延びる延設部とからなるカバーを、前記取付部で前記切断刃の前記一方の側面に密着させ、前記延設部の先端縁が前記切断刃の刃先との間に所定の間隔を空けて、前記刃先の下側に位置するまで延びるように前記カバーを切断刃に装着した構成で、カバーは、構造上前記裁断刃の外側に取り付けざるを得ず、外側から刃先に作業者等の手等が触れるのを防止することはできるが、内側からすなわち作業者がグリップを握る手とは異なる側の手の方が刃先に触れやすく、その場合にはカバーは内側から外側に押され手等が刃先に触れるのを防止することは出来ない。
【０００５】
また、特許文献２に記載の起立片はその高さが帯板状切刃の上動可能位置よりもはるかに低いので、ハンドルを握って前記帯板状切刃を前記起立片の高さよりも通常の切断作業では上方に持ち上げるため前記起立片の高さでは防護機能を全く果たさず，収納時嵩張ってしまう。
【課題を解決するための手段】
【０００６】
この考案の裁断器とその安全カバーは、可動刃に付設したハンドルを握る手とは反対側の手を紙の切断過程で可動刃の上下動範囲の全域において安全に保護することを目的とする裁断器とその安全カバーを提供することを目的とするものである。
【０００７】
すなわち、前記課題を解決する手段としてこの考案の裁断器は、台板の一側面に固定刃を取り付け、該固定刃の先端に近い側面に可動刃をボルトで枢着し、前記固定刃の基部側面に前記可動刃を受けるストッパーピンを突設し、このピンに前記固定刃に枢着して引きばねにより反時計方向の回動力を付与される第１の揺動桿を対設させ、さらに前記ボルトにコイルばねを設け、このばねの弾力により反時計方向の回動力を付与されるボルトを植設した第２の揺動桿をボルトに枢着し、前記第１の揺動桿と第２の揺動桿とをそれぞれ枢軸で紙押バーに連結し、前記紙押バーの側面に前記紙押バーと平行な水平側縁と前記した可動刃の上動位置において前記可動刃の刃先と並行する傾斜側縁と前記した可動刃のハンドル側の移動軌跡に等しい湾曲側縁を有する略三角形状の安全カバーを取り付け、前記した可動刃の上動でこの可動刃の上縁が前記ボルトを押し上げて前記紙押バーを前記ばねの弾力に抗して浮上させ、前記可動刃の下動で前記紙押バーを前記ばねの弾力により前記第２の揺動桿を介して前記可動刃よりも先に被裁断紙上に押し当てるように構成した。
【０００８】
前記安全カバーとしては、紙押バーと平行な水平側縁と前記した可動刃の上動位置において前記可動刃の刃先とその上方で並行する傾斜側縁と前記した可動刃のハンドル側の移動軌跡に等しい湾曲側縁を有する略三角形状で、前記紙押バーと平行な水平側縁に前記紙押バーに着脱しうる取り付け用の切り欠きを複数個形成した。
【０００９】
さらに、前記安全カバーは作業時視界を遮ることの無いように透明な合成樹脂板で形成した。
【考案の効果】
【００１０】
請求項１記載の裁断器は、台板の一側面に固定刃を取り付け、該固定刃の先端に近い側面に可動刃をボルトで枢着し、前記固定刃の基部側面に前記可動刃を受けるストッパーピンを突設し、このピンに前記固定刃に枢着して引きばねにより反時計方向の回動力を付与される第１の揺動桿を対設させ、さらに前記ボルトにコイルばねを設け、このばねの弾力により反時計方向の回動力を付与されるボルトを植設した第２の揺動桿をボルトに枢着し、前記第１の揺動桿と第２の揺動桿とをそれぞれ枢軸で紙押バーに連結し、前記紙押バーの側面に前記紙押バーと平行な水平側縁と前記した可動刃の上動位置において前記可動刃の刃先と並行する傾斜側縁と前記した可動刃のハンドル側の移動軌跡に等しい湾曲側縁を有する略三角形状の安全カバーを取り付け、前記した可動刃の上動でこの可動刃の上縁が前記ボルトを押し上げて前記紙押バーを前記ばねの弾力に抗して浮上させ、前記可動刃の下動で前記紙押バーを前記ばねの弾力により前記第２の揺動桿を介して前記可動刃よりも先に被裁断紙上に押し当てるように構成したので、可動刃に付設したハンドルを握る手とは反対側の手を紙の切断過程で可動刃の上下動範囲の全域において安全に保護することができる。また、安全カバーは紙押バーに対し着脱可能なので収納時コンパクトになる等の効果がある。
【００１１】
請求項２記載の安全カバーは、紙押バーと平行な水平側縁と前記した可動刃の上動位置において前記可動刃の刃先とその上方で並行する傾斜側縁と前記した可動刃のハンドル側の移動軌跡に等しい湾曲側縁を有する略三角形状で、前記紙押バーと平行な水平側縁に前記紙押バーに着脱しうる取り付け用の切り欠きを複数個形成したので、裁断器に対し着脱が容易にでき、裁断操作に不都合が生じない。
【００１２】
請求項３記載の安全カバーは、これを透明な合成樹脂板で形成したので、可動刃の位置確認が容易にできる。
【考案を実施するための最良の形態】
【００１３】
裁断器としては、台板の一側面に固定刃を取り付け、該固定刃の先端に近い側面に可動刃をボルトで枢着し、前記固定刃の基部側面に前記可動刃を受けるストッパーピンを突設し、このピンに前記固定刃に枢着して引きばねにより反時計方向の回動力を付与される第１の揺動桿を対設させ、さらに前記ボルトにコイルばねを設け、このばねの弾力により反時計方向の回動力を付与されるボルトを植設した第２の揺動桿をボルトに枢着し、前記第１の揺動桿と第２の揺動桿とをそれぞれ枢軸で紙押バーに連結し、前記紙押バーの側面に前記紙押バーと平行な側縁と前記した可動刃の上動位置において前記可動刃の刃先と並行する側縁と前記した可動刃のハンドル側の移動軌跡に等しい湾曲縁を有する略三角形状の安全カバーを取り付け、前記した可動刃の上動でこの可動刃の上縁が前記ボルトを押し上げて前記紙押バーを前記ばねの弾力に抗して浮上させ、前記可動刃の下動で前記紙押バーを前記ばねの弾力により前記第２の揺動桿を介して前記可動刃よりも先に被裁断紙上に持ちきたすように前記紙押バーが前記台板の上面に対し平行に上下動するように構成する。
また、安全カバーとしては、前記紙押バーと平行な水平側縁と前記した可動刃の上動位置において前記可動刃の刃先とその上方で並行する傾斜側縁と前記した可動刃のハンドル側の移動軌跡に等しい湾曲側縁を有する略三角形状で、前記紙押バーと平行な水平側縁に前記紙押バーに着脱しうるように取り付け用の切り欠きを形成した透明な合成樹脂板で構成する。
【実施例】
【００１４】
裁断器1は、出願人が先に提案した実公昭５８−５６１５９号公報に記載の裁断器とその構成は類似した構成で、図１〜図５および図７に示すように、台板１１の一側面に固定刃１２を取り付け、図６に示すように該固定刃１２の先端に近い側面に可動刃１３を端部から一定の寸法だけ割り溝を施したボルト14ａで枢着し、前記固定刃１２の基部側面に前記可動刃１２を受けるストッパーピン１５を突設して図９に示すようにこのピン１５に前記固定刃１２に枢着して引きばね１６ａにより反時計方向の回動力を付与される略ト字状をした第１の揺動桿１７ａを対設させ、さらに前記ボルト１４ａにコイルばね16ｂを設け、このばね１６ｂの弾力により反時計方向の回動力を付与されるボルト１４ｂを植設した略フ字状をした第２の揺動桿１７ｂをボルト１４ａに枢着し、前記第１の揺動桿１７ａと第２の揺動桿１７ｂとをそれぞれ枢軸18ａ，18ｂで紙押バー19に連結し前記紙押バー１９が上下に水平移動し得るように四節機構を構成し、前記紙押バー１９の側面に図１０および１１に示すように前記紙押バー１９と平行な側縁と前記した可動刃１３の上動位置において前記可動刃１３の刃先と並行する側縁と前記した可動刃１３のハンドル側の移動軌跡に等しい湾曲縁を有する略三角形状の安全カバー２を図７に示すように取り付け、前記した可動刃１３の上動でこの可動刃１３の上縁が前記ボルト１４ｃを押し上げて前記紙押バー１９を前記ばねの弾力に抗して浮上させ、前記可動刃の下動で前記紙押バーを前記コイルばね１６ｂの弾力により前記第２の揺動桿１７ｂを介して前記可動刃１３よりも先に被裁断紙上に下降して押さえるように前記紙押バー１９が前記台板１１の上面に対し略平行状態を保って上下動するように構成したものである。
【００１５】
安全カバー２は、図１０ならびに１１に示すように、前記紙押バー１９の側面に前記紙押バー１９とほぼ同じ長さで平行な水平側縁２１と前記した可動刃１３の上動位置において前記可動刃１３の長さとほぼ同じ長さでその刃先とその上方で並行する傾斜側縁２２と前記した可動刃１３の端部に設けたハンドル１３ａ側の端部の移動軌跡に等しい湾曲側縁２３を有し、一番の鋭角端を前記水平側縁２１に対し垂直に切断した垂直側縁２４の各縁を有する略三角形状で、前記紙押バー１９と平行な水平側縁２１に前記紙押バー１９の側面に設けたねじ孔に螺着したねじ３ａ，３ｂに対し前記ねじ３ａ，３ｂを完全に外すことなく着脱しうるように取り付け用のＩ字状の切り欠き２５ａ，２５ｂを前記ねじ孔間の間隔Ｌを存して複数個形成した構成である。
【００１６】
また、前記安全カバーは、図１０ならびに１１に示すように機械的強度が保て、被裁断紙の裁断に当たり支障を来たさないように、例えば厚さが３ミリ程度のアクリル樹脂等の透明な合成樹脂板で構成する。取り付け強度を上げるために、前記紙押バー１９と平行な水平側縁２１と平行する一定の幅その板厚を他の部分に比し１．５倍程度に厚く構成し、前記水平側縁２１、傾斜側縁２２、湾曲側縁２３ならびに垂直側縁２４の各縁は面取り加工を施しておけば、作業者の手が前記縁に触れても怪我をすることが無い。
【００１７】
この考案の裁断器は以上のような構成であり、梱包収納時には前記安全カバー２は紙押バー１９の側面から予め外されているので、図７に示すように使用時前記安全カバー２を紙押バー１９の側面に前もって螺着してあるねじ３ａ，３ｂを緩めて前記安全カバー２の水平側縁２１に予め形成してある切り欠き２５ａ，２５ｂの開口部から切り欠き内に前記ねじ３ａ，３ｂが双方の切り欠き端に当接するまで挿入したら前記ねじ３ａ，３ｂをドライバー等の工具を用いて締め付け前記紙押バー１９の側面に安全カバー２を固定する。
【００１８】
使用に当たり作業者は図８に示すように可動刃１３が図８に示す下動位置にある状態で作業者は通常右手でハンドル１３ａを握り、紙葉類Ｐを切断するため前記ハンドル１３ａを持って図９に示すように可動刃１３を紙葉類Ｐを切断するのに必要な上動位置まで持ち上げると、その間に可動刃１３がピン１５に当たりコイルばね１６ｂで反時計方向の回動力が付与されている第２の揺動桿１７ｂを時計方向に回動する。
【００１９】
この場合、ボルト１４ａは可動刃１３の回動に伴い時計方向に回動し、前記コイルばね１６ｂも前記ボルト１４ａと一緒に時計方向に回動するため、可動刃１３は大きい負荷を感じることなく持ち上がり、前記第２の揺動桿１７ｂのアーム部の起き上がりに伴い紙押バー１９により前記第１の揺動桿１７ａのアーム部も引きばね１６ａに抗して起き上がって前記紙押バー１９を台板１１上から略水平に上方に押し上げる。
【００２０】
この紙押バー１９の水平上昇に伴い図９に示すように前記紙押バー１９の側面に固定した安全カバー２も同様に上昇しハンドル１３ａを握っていない方の手すなわち左手が前記台板１１上に切断しようとする紙葉類Ｐを載せ、切断位置をスケール等を利用して定める過程で誤って可動刃１３方に動かしても可動刃１３より手前に位置する安全カバー２で前記動く動作が遮られ左手が可動刃１３に触れることがない。
【００２１】
次に、前記したように台板１１上に切断しようとする紙葉類Ｐを載せ、切断しようとする辺を台板１１と紙押バー１９との間を通して切断位置をスケール等を利用して定め、ハンドル１３ａを持つ手を図９に示す位置から図８に示す位置まで下げて行くと、引きばね１６ａとコイルばね１６ｂにより前記第１の揺動桿１７ａと第２の揺動桿１７ｂが反時計方向に回動して紙葉類Ｐの切断しようとする近傍を台板１１に押さえ付けると共に、可動刃１３が前記押さえ動作に若干遅れて前記紙葉類Ｐを前記固定刃１２との間で切断する。
【００２２】
前記した紙葉類Ｐの切断操作に連動して再び図８に示すように安全カバー２も前記紙押バー１９の下動に伴い下動し、この間作業者が誤って左手を可動刃１３側に動かしても安全カバー２がそれを遮り可動刃１３に左手が触れるのを完全に阻止する。
【００２３】
安全カバー２は、アクリル樹脂板で構成してあるので、これが視野を妨げることなく、切断操作の支障にはならない。この安全カバー２はねじ３ａ，３ｂを少しだけ緩めることで紙押バー１９から容易に取り外すことができ、収納時に前記安全カバーが収納の支障にはならない。
【図面の簡単な説明】
【００２４】
【図１】この考案の実施例を示す裁断器の正面図。
【図２】同じく背面図。
【図３】同じく左側面図。
【図４】同じく平面図。
【図５】同じく底面図。
【図６】図４のＡ−Ａ断線における断面図。
【図７】この考案の裁断器の斜視図。
【図８】可動刃が下動位置にある作業状態説明図。
【図９】可動刃が上動位置にある作業状態説明図。
【図１０】この考案の安全カバーの正面図。
【図１１】同じく背面図。
【符号の説明】
【００２５】
１            裁断器
１１            台板
１２            固定刃
１３            可動刃
１４ａ，１４ｂ  ボルト
１５            ストッパーピン
１６ａ          引きばね
１６ｂ          コイルばね
１７ａ          第１の搖動桿
１７ｂ          第２の搖動桿
１８ａ，１８ｂ  枢軸
１９            紙押バー
２              安全カバー
２１            水平側縁
２２            傾斜側縁
２３            湾曲側縁
２４            垂直側縁
２５ａ，２５ｂ  切り欠き
【図１】
0003114506.tif 000003
【図２】
0003114506.tif 000004
【図３】
0003114506.tif 000005
【図４】
0003114506.tif 000006
【図５】
0003114506.tif 000007
【図６】
0003114506.tif 000008
【図７】
0003114506.tif 000009
【図８】
0003114506.tif 000010
【図９】
0003114506.tif 000011
【図１０】
0003114506.tif 000012
【図１１】
0003114506.tif 000013
【手続補正書】
【提出日】平成17年7月15日(2005.7.15)
【手続補正１】
【補正対象書類名】実用新案登録請求の範囲
【補正対象項目名】全文
【補正方法】変更
【補正の内容】
【実用新案登録請求の範囲】
【請求項１】
台板１１の一側面に固定刃１２を取り付け、該固定刃１２の先端に近い側面に可動刃１３をボルト１４ａで枢着し、前記固定刃１２の基部側面に前記可動刃１３を受けるストッパーピン１５を突設し、このピン１５に前記固定刃１２に枢着して引きばね１６ａにより反時計方向の回動力を付与される第１の揺動桿１７ａを対設させ、さらに前記ボルト１４ａにコイルばね１６ｂを設け、このばね１６ｂの弾力により反時計方向の回動力を付与されるボルト１４ｂを植設した第２の揺動桿１７ｂをボルト１４ａに枢着し、前記第１の揺動桿１７ａと第２の揺動桿１７ｂとをそれぞれ枢軸１８ａ、１８ｂで紙押バー１９に連結し、前記紙押バー１９の側面に前記紙押バー１９と平行な水平側縁２１と前記した可動刃１３の上動位置において前記可動刃１３の刃先と並行する傾斜側縁２２と前記した可動刃１３のハンドル１３ａ側の移動軌跡に等しい湾曲側縁２３を有する略三角形状の安全カバー２を取り付け、前記した可動刃１３の上動でこの可動刃１３の上縁が前記ボルト１４ｂを押し上げて前記紙押バー１９を前記ばね１６ｂの弾力に抗して浮上させ、前記可動刃１３の下動で前記紙押バー１９を前記ばね１６ｂの弾力により前記第２の揺動桿１７ｂを介して前記可動刃１３よりも先に被裁断紙上に押し当てるように構成したことを特徴とする裁断器。
【請求項２】
紙押バー１９と平行な水平側縁２１とをねじ３ａ、３ｂで着脱自在に取り付けるための取り付け用の切り欠き２５ａ、２５ｂを安全カバー２の水平側縁２１に複数個形成したことを特徴とする請求項１記載の裁断器。
【請求項３】
安全カバー２を透明な合成樹脂板で形成したことを特徴とする請求項１又は２のいずれかに記載の裁断器。
【手続補正３】
【補正対象書類名】明細書
【補正対象項目名】０００１
【補正方法】変更
【補正の内容】
【０００１】
この考案は紙葉類を裁断する裁断器に関し、さらに詳しく述べれば裁断作業時に裁断刃に前記裁断刃のハンドルを握る手とは反対側の手が前記裁断作業時に前記裁断刃に触れて怪我をしないようにするための安全カバーを紙押バーに取り付けた構成の裁断器に関する。